(57)【要約】      （修正有）【課題】花束を体裁よく飾ることができると共に、使用者の必要に応じた表示手段、装飾手段等を備えた花束保持具を提供する。【解決手段】板状体１には上端１ａが下端１ｂよりも後方に位置するように傾斜させた状態で板状体を支持する支持手段３を着脱自在に取り付け、板状体の上部に花束７を挿通させるための挿通孔９を形成し、板状体の表面１ｃにおける挿通孔の下方には表示又は装飾のためのスペース１１を備え、板状体の裏面１ｄ側には挿通孔に挿通させた花束の下部を保持する保持手段１３を設ける。【選択図】図１
0003185261.tif 000002
【実用新案登録請求の範囲】
【請求項１】
板状体には該板状体の上端が該板状体の下端よりも後方に位置するように傾斜させた状態で該板状体を支持する支持手段を着脱自在に取り付け、該板状体の上部には花束を挿通させるための挿通孔を形成し、該板状体の表面における該挿通孔の下方には表示又は装飾のための表示・装飾スペースを備えさせ、該板状体の裏面側には該挿通孔に挿通させた花束の下部を保持する下部保持手段を設けたことを特徴とする花束保持具。
【請求項２】
前記支持手段の上端には掛止部を備えさせ、前記板状体の上端には該掛止部に対応する切欠部を備えさせ、該支持手段の掛止部を該板状体の切欠部に係脱自在となしたことを特徴とする請求項１に記載の花束保持具。
【請求項３】
前記下部保持手段は、両端を前記板状体の裏面に取り付けた略ループ状体であることを特徴とする請求項１又は２に記載の花束保持具。
【請求項４】
前記略ループ状体は弾性を有することを特徴とする請求項３に記載の花束保持具。
【請求項５】
前記下部保持手段は、前記板状体を前後に貫通させたリボンであり、該リボンにおける該板状体の裏面側部を花束の下部を保持するための略ループ状部となし、該リボンにおける該板状体の表面側部には結び目を形成したことを特徴とする請求項１又は２に記載の花束保持具。
【請求項６】
前記支持手段は、一端を前記板状体の裏面における前記挿通孔の下方に取り付けた支持板とし、前記下部保持手段は、該支持板に形成した透孔であることを特徴とする請求項１に記載の花束保持具。
【請求項７】
前記表示・装飾スペースには、氏名、名称、メッセージ、写真、絵画等の表示物を表示した表示体又は飾りプレート、色紙、鏡等の装飾体を取り付けたことを特徴とする請求項１〜６のいずれかに記載の花束保持具。
【考案の詳細な説明】
【技術分野】
【０００１】
本考案は、花束保持具に関するものであり、特に、ブーケ等の花束を立てた状態で一時的に保持するための花束保持具に係るものである。
【０００２】
本考案による花束保持具は、例えば結婚披露宴その他のパーティー会場等において、花束を保持した状態でテーブル、台等の支持体上に載置することにより、花束を一時的に飾るようにしたものである。
【背景技術】
【０００３】
実用新案登録第３０９０１９８号公報は、平板上に細径の筒状体を立設し、該筒状体内にブーケの下部を挿入するようにしてなるブーケスタンドを開示している。
【先行技術文献】
【特許文献】
【０００４】
【特許文献１】実用新案登録第３０９０１９８号公報
【考案の概要】
【考案が解決しようとする課題】
【０００５】
上記従来のブーケスタンドは、ブーケを立てた状態で保持することができるものではあるが、単なる花立に過ぎないものであって、ブーケを立てた状態における外観上の面白みに欠けるだけでなく、使用者の必要に応じた表示手段、装飾手段等を有しないものである。
【０００６】
本考案は、上記従来のブーケスタンドにおける上述の如き問題を解決し、花束を体裁よく飾ることができると共に、使用者の必要に応じた表示手段、装飾手段等を備えた花束保持具を提供しようとしてなされたものである。
【課題を解決するための手段】
【０００７】
上記課題を解決するために、本考案は、下記の花束保持具を提供するものである。
【０００８】
（１）板状体には該板状体の上端が該板状体の下端よりも後方に位置するように傾斜させた状態で該板状体を支持する支持手段を着脱自在に取り付け、該板状体の上部には花束を挿通させるための挿通孔を形成し、該板状体の表面における該挿通孔の下方には表示又は装飾のための表示・装飾スペースを備えさせ、該板状体の裏面側には該挿通孔に挿通させた花束の下部を保持する下部保持手段を設けたことを特徴とする花束保持具（請求項１）。
【０００９】
（２）前記支持手段の上端には掛止部を備えさせ、前記板状体の上端には該掛止部に対応する切欠部を備えさせ、該支持手段の掛止部を該板状体の切欠部に係脱自在となす（請求項２）。
【００１０】
（３）前記下部保持手段は、両端を前記板状体の裏面に取り付けた略ループ状体である（請求項３）。
【００１１】
（４）前記略ループ状体は弾性を有する（請求項４）。
【００１２】
（５）前記下部保持手段は、前記板状体を前後に貫通させたリボンであり、該リボンにおける該板状体の裏面側部を花束の下部を保持するための略ループ状部となし、該リボンにおける該板状体の表面側部には結び目を形成する（請求項５）。
【００１３】
（６）前記支持手段は、一端を前記板状体の裏面における前記挿通孔の下方に取り付けた支持板とし、前記下部保持手段は、該支持板に形成した透孔とする（請求項６）。
【００１４】
（７）前記表示・装飾スペースには、氏名、名称、メッセージ、写真、絵画等の表示物を表示した表示体又は飾りプレート、色紙、鏡等の装飾体を取り付ける（請求項７）。
【考案の効果】
【００１５】
[請求項１の考案]
花束保持具により花束を保持させる際には、支持手段により板状体を上端が下端よりも後方に位置するように傾斜させた状態で支持させ、花束を上方より板状体の挿通孔内に挿通し、該花束の下部を下部保持手段により保持させることにより、該花束を立てた状態でテーブル、台等の支持体上に一時的に飾ることができる。花束は、包装の有無を問わず、飾ることができる。図１参照。
【００１６】
花束は後方に傾斜した板状体の挿通孔より上方に突出した状態で保持されるため、花束保持具と該花束保持具により保持された花束は、体裁の面でも申し分なく、看者の目を引くものとなる。
【００１７】
花束は、板状体の挿通孔と下部保持手段とにより安定した状態で保持される。
【００１８】
板状体の表面における挿通孔の下方には表示又は装飾のための表示・装飾スペースを備えさせたため、該スペースには所望の表示手段ないし装飾手段を取り付けることができる。
【００１９】
支持手段は板状体に対し着脱自在であるため、該支持手段を板状体から取り外したときには、花束保持具全体がコンパクトになる。したがって、非使用時における花束保持具の保管、運搬等が極めて容易である。
【００２０】
花束保持具は、安価かつ容易に製造することができる。
【００２１】
[請求項２の考案]
支持手段の上端には掛止部を備えさせ、板状体の上端には該掛止部に対応する切欠部を備えさせ、該支持手段の掛止部を該板状体の切欠部に係脱自在としたため、板状体に支持手段を着脱する作業は極めて容易である。
【００２２】
[請求項３の考案]
下部保持手段は両端を板状体の裏面に取り付けた略ループ状体であるため、花束保持具により花束を飾る際には、花束を上方より板状体の挿通孔内に挿通すると共に、該花束の下部を該略ループ状体に係止するだけでよく、花束の取り付け作業、取り外し作業は極めて容易である。
【００２３】
[請求項４の考案]
前記略ループ状体は弾性を有するため、花束の下部は更に容易かつ確実に保持される。
【００２４】
[請求項５の考案]
下部保持手段であるリボンにおける裏面側部の略ループ状部は請求項３の考案における略ループ状体と同様の効果を奏する。該リボンにおける該板状体の表面側部には結び目を形成しており、該結び目は板状体の表面側を好ましく装飾する。
【００２５】
[請求項６の考案]
支持手段は、一端を前記板状体の裏面における前記挿通孔の下方に取り付けた支持板とし、下部保持手段は、該支持板に形成した透孔としているが、請求項６の考案は、前記請求項１の考案と同様の効果を発揮する。
【００２６】
[請求項７の考案]
表示・装飾スペースには、氏名、名称、メッセージ、写真、絵画等の表示物を表示した表示体又は飾りプレート、色紙、鏡等の装飾体を取り付けているため、該表示・装飾スペースは十分な表示効果、装飾効果を発揮する。
【図面の簡単な説明】
【００２７】
【図１】図１は、本考案による花束保持具の一例における使用状態を示す一部断面側面図である。
【図２】図２は、板状体の正面図である。
【図３】図３は、支持手段の一例を示す側面図である。
【図４】図４は、下部保持手段の一例を示す平面図である。
【図５】図５は、下部保持手段の別の一例を備えた板状体の表面側を示す斜視図である。
【図６】図６は、同上下部保持手段を備えた板状体の裏面側を示す斜視図である。
【図７】図７は、本考案による花束保持具の別の一例を示す斜視図である。
【考案を実施するための形態】
【００２８】
符号１に示すものは板状体である。板状体１は、一例として正面略長方形状体とする。板状体１は、好ましくは木製とするが、合成樹脂、金属等により形成しても差し支えない。
【００２９】
板状体１には該板状体１の上端１ａが該板状体１の下端１ｂよりも後方に位置するように傾斜させた状態で該板状体１を支持する支持手段３を着脱自在に取り付ける。図１における左方が前方であり、図１における右方が後方である。符号５に示すものは板状体１を載置するテーブル、台等の支持体であるが、板状体１と支持体５との間の角度ａは、例えば５５°〜６５°とする。
【００３０】
板状体１の上部には花束７を挿通させるための挿通孔９を形成する。挿通孔９は、好ましくは上下方向の楕円形又は長円形とするが、例えば円形その他の形状を備えていても差し支えない。図１に示す花束７は包装されているが、花束７は包装の有無を問わない。
【００３１】
板状体１の表面１ｃにおける挿通孔９の下方には表示又は装飾のための表示・装飾スペース１１を備えさせる。該表示・装飾スペース１１には、例えば、花束贈呈者の氏名若しくは名称、花束贈呈者からのメッセージ、或いは写真、絵画等の表示物を表示した表示体又は飾りプレート、色紙、鏡等の装飾体を取り付ける。表示体は、例えば蒔絵により形成してなる絵画ものであってもよい。なお、該表示体として、例えば菊を描いてなる絵画を用いたときには、本考案の花束保持具を葬儀用に使用することもできる。
【００３２】
板状体１の裏面１ｄ側には挿通孔９に挿通させた花束７の下部７ａを保持する下部保持手段１３を設ける。
【００３３】
板状体１を上端１ａが下端１ｂよりも後方に位置するように傾斜させた状態で支持するために、図１〜図３、図５、図６に示す事例においては、前記支持手段３の上端３ａには掛止部１４を備えさせ、板状体１の上端１ａには該掛止部１４に対応する切欠部１７を備えさせ、該支持手段３の掛止部１４を該板状体１の切欠部１７に係脱自在となしている。支持手段３は、好ましくは短冊状の薄板とする。
【００３４】
図４に示す事例においては、前記下部保持手段１３は、両端１５ａ、１５ｂを前記板状体１の裏面１ｄに取り付けた略ループ状体１５である。
【００３５】
該略ループ状体１５は、好ましくは弾性を有するものであり、例えばゴムにより形成する。
【００３６】
図５、図６に示す事例においては、前記下部保持手段１３は、板状体１を前後に貫通させたリボン１８であり、該リボン１８における該板状体１の裏面１ｄ側部を花束７の下部７ａを保持するための略ループ状部１８ａとなし、該リボン１８における該板状体１の表面１ｃ側部には結び目１８ｂを形成している。リボン１８は、一例として布片により形成する。符号１６ａ、１６ｂに示すものは、板状体１に形成したリボン挿通孔である。
【００３７】
図７に示す事例においては、前記支持手段３は、一端１９ａを板状体１の裏面１ｄにおける前記挿通孔９の下方に取り付けた支持板１９とし、前記下部保持手段１３は、該支持板１９に形成した透孔２１である。なお、支持板１９の一端１９ａは、一例として、板状体１の裏面１ｄに形成した溝２３に取り外し自在に嵌着する。
【００３８】
なお、板状体１の裏面１ｄにオルゴールを取り付けてもよい。また、板状体１の適宜の表面１ｃ又は裏面１ｄにメッセージを表示したカードを収納するポケット（図示せず。）を取り付けてもよい。
【符号の説明】
【００３９】
１  板状体
１ａ  上端
１ｂ  下端
１ｃ  表面
１ｄ  裏面
３  支持手段
３ａ  上端
５  支持体
７  花束
７ａ  下部
９  挿通孔
１１  表示・装飾スペース
１３  下部保持手段
１４  掛止部
１５  略ループ状体
１５ａ  端
１５ｂ  端
１６ａ  リボン挿通孔
１６ｂ  リボン挿通孔
１７  切欠部
１８  リボン
１８ａ  略ループ状部
１８ｂ  結び目
１９  支持板
１９ａ  一端
２１  透孔
２３  溝
【図１】
0003185261.tif 000003
【図２】
0003185261.tif 000004
【図３】
0003185261.tif 000005
【図４】
0003185261.tif 000006
【図５】
0003185261.tif 000007
【図６】
0003185261.tif 000008
【図７】
0003185261.tif 000009